(57)【要約】  本発明は、同一発明者による実用新案登録第２０００−８３９６号の歯ブラシの構造を一部変更して、歯を磨く時は歯毛部を密着させて使用し、使用後に歯毛部を展開させて洗滌及び乾燥が容易になるように改良した、歯毛部の展開される衛生歯ブラシに関するものである。この発明による衛生歯ブラシは、歯毛部の上端に歯毛ピースを備え、歯毛部の先端に上向き傾斜した傾斜突部を取り付け、そして案内孔の内壁に第１次及び第２次掛錠溝を形成して突起が錠掛けされることを特徴とする。
2005515814.tif 000002
【特許請求の範囲】
【請求項１】
歯ブラシ棒（１）の上端に取り付けられて、歯毛（２）が植毛されている多数個の歯毛ピース（２’）（２”）を湾曲状の板スプリング（３）に嵌め込み一体に構成した歯毛部（１００）と、歯ブラシ棒（１）の案内孔（４）に遊挿された遊挿突部（５）の両側に掛錠突起（６）（６’）を突設した押し送りボタン（２００）と、押し送りボタン（２００）の移動により歯毛部（１００）を直線状に展開できるよう一体にして連結バー（７）に
連結した作動板（３００）とから構成される歯ブラシにおいて、
歯毛部（１００）の先端に、上向き傾斜した傾斜突部（８）を上面に突設した角度調節用の歯毛ピース（９）を取り付け、
案内孔（４）の内壁の前方には掛錠突起（６）が掛かる第１次および第２次掛錠溝（１０）（１０’）を順に形成し、
作動板（３００）の掛錠突起（６）（６’）が第２次掛錠溝（１０）に錠掛けされる時
に作動板（３００）の先端が角度調節用の歯毛ピース（９）の傾斜突部（８）を押して内
側へ角度調節がなされる構造よりなることを特徴とする歯毛部の展開される衛生歯ブラシ。
【請求項２】
作動板（３００）の両側面には、歯毛ピース（２’）（２”）の展開の際、歯毛部（１００）の本体をカバーするリブ（１１）（１１’）が対設されていることを特徴とする請求項１に記載の歯毛部の展開される衛生歯ブラシ。
【請求項３】
掛錠突起（６）（６’）の中間には、伸縮凹溝（１２）が形成されていることを特徴とする請求項１に記載の歯毛部の展開される衛生歯ブラシ。
【発明の詳細な説明】
【技術分野】
【０００１】
本発明は、歯毛部（歯磨き用ブラシ部分）の展開される衛生（サニタリー）歯ブラシに係るもので、より詳細には、歯を磨く時は歯毛部を密着させて使用し、使用の後に保管する時は、歯毛部を展開させて歯毛の洗浄と乾燥が容易になるよう、先に出願した実用新案登録出願第２０００−８３９６号の歯ブラシの構造を一部変更し、より便利に使用できるように改良された、歯毛部の展開される衛生歯ブラシに係るものである。
【背景技術】
【０００２】
先に出願した実用新案登録出願第２０００−８３９６号の歯ブラシの構造を簡単に見ると、歯毛の植毛されている歯毛ピースを密集展開させる作動板に、押し送りボタンの付着された連結バーが長さ方向に付着された構造になっており、歯ブラシを衛生的かつ経済的に使用するのに役に立てることができた（特許文献１参照）。
【特許文献１】韓国実用新案登録出願第２０００−８３９６号
【発明の開示】
【発明が解決しようとする課題】
【０００３】
しかし、上記の先出願に係る歯ブラシは、連結バーに連設されている押し送りボタンの位置が歯ブラシ棒の取手部分に位置しており、歯を磨く時に押し送りボタンの位置の離脱による歯毛部の遊動と、歯毛ピースの側面の凸凹部が作動板に完全に覆われず中央下部が露出しているため、歯に当たるとカタカタという音が生じ、不快感を与える問題点があり、また奥歯の内側の部位を磨こうとする際は、直線構造の歯毛部を有する通常の歯ブラシのごとく歯の面と水平に歯ブラシの棒を口側にぴったりくっつけて歯を磨かなければならないために、大変不便であった。
【課題を解決するための手段】
【０００４】
本発明に係る歯毛部の展開される衛生歯ブラシは、歯ブラシ棒（柄）１の上端に取り付けられて、歯毛２が植毛されている多数個の歯毛ピース２’・２”を湾曲状の板スプリング３に嵌め込み一体に構成した歯毛部１００と、歯ブラシ棒１の案内孔４に遊挿された遊挿突部５の両側に掛錠突起６・６’を突設した押し送りボタン２００と、押し送りボタン２００の移動により歯毛部１００を直線状に展開できるよう一体にして連結バー７に連結した作動板３００とから構成される歯ブラシにおいて、
歯毛部１００の先端に、上向き傾斜した傾斜突部８を上面に突設した角度調節用の歯毛ピース９を取り付け、案内孔４の内壁の前方には掛錠突起６が掛かる第１次および第２次掛錠溝１０・１０’を順に形成し、作動板３００の掛錠突起６・６’が第２次掛錠溝１０に錠掛けされる時に作動板３００の先端が角度調節用の歯毛ピース９の傾斜突部８を押して内側へ角度調節がなされる構造よりなることを特徴とする。
【０００５】
請求項２記載の衛生歯ブラシは、請求項１に記載の歯毛部の展開される衛生歯ブラシにおいて、作動板３００の両側面には、歯毛ピース２’・２”の展開の際、歯毛部１００の本体をカバーするリブ１１・１１’が対設されていることを特徴とする。
【０００６】
請求項３記載の衛生歯ブラシは、請求項１に記載の歯毛部の展開される衛生歯ブラシにおいて、掛錠突起６・６’の中間には、伸縮凹溝１２が形成されていることを特徴とする。
【発明の効果】
【０００７】
このように本発明は、押し送りボタンの位置を手の触れない歯ブラシ棒の上部に位置させることによって歯磨きを行なう際の押し送りボタンの位置離脱による使用上の不便を防ぐことができ、歯毛部の先端に角度調節用歯毛ピースを取り付けることにより、奥歯の内側の部位の歯磨きを容易に行うことができ、作動板の両側面に歯毛ピースの展開の際、歯毛部の本体をカバーするリブを対設することにより、歯を磨く時に凸凹部が歯に当たって生じる騒音を防ぐことができ、掛錠突起の中間の伸縮凹溝を形成することによって組み立てを容易にすると同時に、ボタンの脱離による不便を解消することができるという効果がある。
【発明を実施するための最良の形態】
【０００８】
以下、本発明を添付の図面の実施例によって詳細に説明すると、以下の通りである。
【０００９】
図１は、本発明の一部を分解して表した全体斜視図である、
本発明は、歯ブラシ棒（柄）１の先端に付着され、歯毛（ブラシ）２が植え付けられている多数個の歯毛ピース２’・２”を湾曲状の板スプリング３に嵌めて一体に構成した歯毛部１００と、歯ブラシ棒１の案内孔４に遊挿された遊挿突部５の両側に掛錠突起６・６’を突設した押し送りボタン２００と、押し送りボタン２００の移動により、歯毛部１００を直線状に展開できるよう、一体に連結バー７で連結した作動板３００からなる歯ブラシにおいて、歯毛部１００の先端に、上向き傾斜した傾斜突部８を上面に突設した角度調節用歯毛ピース９を取り付けている。また、案内孔４の内壁の前方に、掛錠突起６が掛かる第１次および第２次掛錠溝１０・１０’を順に形成し、作動板３００の突起６・６’が第２次掛錠溝１０’に錠掛けされる時、作動板３００の先端が角度調節用歯毛ピース９の傾斜突部８を押し、内側に角度調節がなされるようにしている。作動板３００の両側面には、歯毛ピース２’・２”の展開の際、歯毛部１００の本体をカバーするリブ１１・１１’を対設している。掛錠突起６・６’の中間には、案内孔４の挿入を可能にするための伸縮凹溝１２’が形成してある構造になっている。
【００１０】
図面中の符号１３は歯毛部１００の凸凹部であり、１４は案内孔４の案内面で、１５は案内孔４の第３次掛錠溝である。
【００１１】
このような構成からなる本発明の歯ブラシは、先に出願した実用新案登録第２０００−８３９６号の歯ブラシよりも便利に使用できるように改良したものであり、改良した各部による作用を図面を参照してより詳細に説明すると、下記の通りである。
【００１２】
図３に示すように、押し送りボタン２００の操作により、掛錠突起６・６’が第１次掛錠溝１０に掛かって固定した状態になると、作動板３００の先端が角度調節用歯毛ピース９の傾斜突部８の傾斜の始まる面に位置しながら、歯毛部１００が水平状態に支持される。
【００１３】
したがって、上記のような状態にして歯を磨くことになるが、本発明による歯ブラシは、押し送りボタン２００の作動区間が取手と分離するように歯ブラシ棒１の上部に位置するので、歯を磨くときに押し送りボタン２００の遊動により生じる歯毛部１００の変形が防止され、使用者が不便なく使用できる。
【００１４】
また、歯毛部１００の本体をカバーする作動板３００の両側面には、歯毛ピース２・２’の凸凹部が露顕しないようにリブ１１・１１’が付設してあるので、歯を磨く時、歯と凸凹部のつき当たりによる騒音を防ぐこと
ができて、使用者は不快感なく使用できる。
【００１５】
それから本発明の歯ブラシは歯磨きの困難な奥歯の内側部を容易に磨けるよう、歯毛部１００の先端を内側へ一定の範囲まで角度の調節ができるようになっているが、このためには、図７に示すように押し送りボタン２００を押して掛錠突起６・６’ を第１次掛錠溝から分離した後、ボタン２００を軽く矢印方向へ移動させると、図８のように掛錠突起６・６’の上面が、案内孔４の内側の案内面１４と一致した状態になりながらボタン２００が移動される。この際、歯毛部１００の先端の角度調節用歯毛ピース９は作動板３００の先端と一致した傾斜の始まる面へ水平力を受けるようになり、 板スプリング３の弾性力を受けながら図４に示すように、板スプリング３の湾曲方向とは反対方向の内側へ曲がる。
【００１６】
したがって、ボタン２００の掛錠突起６・６’が案内面１４の第２次 掛錠溝１０’に到達すると、板スプリング３の力によって掛錠突起６・６’が第２次掛錠溝１０’に掛かりながら遊挿突部５の前面が案内孔１４の前方内壁と一致し、ボタン２００が一定の位置に固定される。
【００１７】
そのため、一定角度内側へ傾斜している角度調節用歯毛ピース９を、奥歯の内側の部位に位置させることによって、磨きにくい奥歯の奥の部分における歯磨きを容易に行うことができるのである。
【００１８】
前述のように、本発明の歯ブラシで歯毛部１００を水平あるいは先端部を一定角度湾曲させた状態で交叉させながら歯を磨いて歯をきれいにした後は、次回に使用できるようにきれいに洗浄して風通しのよい歯ブラシ箱に保管するとよい。この際に歯ブラシを洗浄する時は、図５のように、ボタン２００を矢印方向へ移動させて遊挿突部５の後面と案内孔４と後方の内壁を一致させ、掛錠突起６・６’を第３次掛錠溝１５に掛かるようにしてボタン２００を固定する。この際、歯毛部１００は湾曲した板スプリング３によって開かれ、歯毛ピース２’・２が広い間隔に離隔された状態になるので、このようにした状態で歯ブラシを洗浄し、乾燥させて衛生的に使用する。
【００１９】
なお、本発明の歯ブラシにおける押し送りボタン２００は、図７に示すように掛錠突起６の中間に案内孔４への挿入を可能にするための伸縮凹溝１２を形成しているため、ボタン２００の組み立てを容易にし、また一度組み立てた後は離脱を防止できるので、ボタン２００の離脱による使用上の不便な点を解消できる。
【図面の簡単な説明】
【００２０】
【図１】本発明の歯ブラシの一部を分解して表した全体斜視図である。
【図２】本発明の歯毛部を拡大して示す斜視図である。
【図３】本発明の歯ブラシの歯毛部が直線状態の時の断面図である。
【図４】本発明の歯ブラシの歯毛部の先端部を板スプリングの湾曲方向と反対方向へ引っ込めた時の状態を示す断面図である。
【図５】本発明の歯ブラシの歯毛部が板スプリングにより完全に湾曲された時の状態を示す断面図である。
【図６】本発明の作動板が歯毛部を支持した状態を示す断面図である。
【図７】本発明の作動ボタンの掛錠突起が掛錠溝に凹入された状態を示す断面図であある。
【図８】本発明の作動ボタンの掛錠突起が掛錠溝から分離された状態を示す断面図である。
【符号の説明】
【００２１】
１          歯ブラシ棒（歯ブラシの柄）
２．２’    歯毛ピース
３          板スプリング
４          案内孔
５          遊挿突部
６．６’    掛錠突起
７          連結バー
８          傾斜突部
９          角度調節用歯毛ピース
１０．１０’第１、２次掛錠溝
１１．１１’リブ
１２        伸縮溝
１３        凸凹部
１４        案内面
１５        第３次掛錠溝
１００      歯毛部
２００      押し送りボタン
３００      作動板
【図１】
2005515814.tif 000003
【図２】
2005515814.tif 000004
【図３】
2005515814.tif 000005
【図４】
2005515814.tif 000006
【図５】
2005515814.tif 000007
【図６】
2005515814.tif 000008
【図７】
2005515814.tif 000009
【図８】
2005515814.tif 000010
【国際調査報告】
2005515814.tif 000011